【手続補正書】
【提出日】平成17年6月1日(2005.6.1)
【手続補正１】
【補正対象書類名】明細書
【補正対象項目名】発明の名称
【補正方法】変更
【補正の内容】
【発明の名称】復号装置、復調復号装置、受信装置および復号方法
【手続補正２】
【補正対象書類名】明細書
【補正対象項目名】特許請求の範囲
【補正方法】変更
【補正の内容】
【特許請求の範囲】
【請求項１】
受信信号を復調する際に検出される受信電力レベル情報を用いて、前記受信信号に対応するメトリックデータに重み付け処理を行う復号装置であって、
前記受信電力レベル情報を所定倍率で増大させて出力する電力レベル増大回路を備え、
該電力レベル増大回路から出力された受信電力レベル情報に基づいて前記重み付け処理を行うことを特徴とする復号装置。
【請求項２】
前記受信電力レベル情報を所定値以下にする電力レベル制限回路をさらに備え、
前記電力レベル増大回路は、前記電力レベル制限回路において所定値以下にされた前記電力レベル情報を所定倍率で増大させることを特徴とする請求項１記載の復号装置。
【請求項３】
前記受信信号に対応する伝送方式を検出する伝送方式検出回路をさらに備え、
前記電力レベル増大回路は、前記伝送方式検出回路の出力に基づいて前記所定倍率を設定することを特徴とする請求項１記載の復号装置。
【請求項４】
前記受信信号に対応する伝送方式を検出する伝送方式検出回路をさらに備え、
前記電力レベル制限回路は、前記伝送方式検出回路の出力に基づいて前記所定値を設定し、
前記電力レベル増大回路は、前記伝送方式検出回路の出力に基づいて前記所定倍率を設定することを特徴とする請求項２記載の復号装置。
【請求項５】
前記伝送方式検出回路は、前記受信信号に含まれる、キャリア変調モード、符号化率、または受信モードのうちの少なくとも１つに基づいて前記伝送方式を検出することを特徴とする請求項３または４記載の復号装置。
【請求項６】
受信信号を復調して得られる第１の受信電力レベル情報を第２の電力レベル情報に変換して出力する変換テーブルを有する復調手段と、
請求項１ないし５のいずれかに記載の復号装置とを備え、
前記変換テーブルは、
前記第１の受信電力レベル情報が所定の値以上の場合には、前記第１の受信電力レベル情報と非線形の関係にあって、前記第１の受信電力レベル情報と線形関係にある値よりも小さい値に対応する前記第２の受信電力レベル情報を出力し、
前記第１の受信電力レベル情報が前記所定の値より小さい場合には、前記第２の受信電力レベル情報を略０として出力し、
前記復号装置は、第２の受信電力レベル情報を用いて、前記受信信号に対応するメトリックデータに重み付け処理を行うように構成されてなる復調復号装置。
【請求項７】
請求項１ないし５のいずれかに記載の復号装置を備える受信装置。
【請求項８】
請求項６に記載の復調復号装置を備える受信装置。
【請求項９】
受信信号を復調する際に検出される受信電力レベル情報を用いて、前記受信信号に対応するメトリックデータに重み付け処理を行う復号方法であって、
前記受信電力レベル情報を所定倍率で増大させた結果に基づいて前記重み付け処理を行うことを特徴とする復号方法。
【手続補正３】
【補正対象書類名】明細書
【補正対象項目名】００３４
【補正方法】変更
【補正の内容】
【００３４】
【課題を解決するための手段】
上述の目的を達成するため、この発明に係る復号装置は、受信信号を復調する際に検出される受信電力レベル情報を用いて、受信信号に対応するメトリックデータに重み付け処理を行う復号装置であって、受信電力レベル情報を所定倍率で増大させて出力する電力レベル増大回路を備え、該電力レベル増大回路から出力された受信電力レベル情報に基づいて重み付け処理を行うことを特徴とする。
【手続補正４】
【補正対象書類名】明細書
【補正対象項目名】００３５
【補正方法】削除
【補正の内容】
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】削除
【補正の内容】
【手続補正１２】
【補正対象書類名】明細書
【補正対象項目名】００７５
【補正方法】変更
【補正の内容】
【００７５】
本実施の形態では、上記のように構成し、動作させることにより、システムにおける伝送信号パラメータに変更が生じる場合でも、電力レベル制限回路１３と電力レベル増大回路１４の各制御値を適切に変更できるので、メトリック値の中間値が連続することを減少させることができ、結果的に、ＢＥＲ値（受信性能）を向上させることができる。
また、本実施の形態では、受信するキャリア変調方式や符号化率等の、システムの伝送信号パラメータ情報を検出する伝送方式検出回路を設け、その検出結果をもとに、電力レベル制限回路と電力レベル増大回路の制御を行う機能を設けたので、受信する実際の伝送信号パラメータを検出でき、例えば、あらかじめ伝送信号パラメータ毎に最適な電力制限値と電力倍率値を決めておくことで、検出した伝送信号方式毎に最適な制御を行うことが可能となり、各種伝送信号方式毎に最適な受信性能を得ることができる。
【手続補正１３】
【補正対象書類名】明細書
【補正対象項目名】００８２
【補正方法】変更
【補正の内容】
【００８２】
このように本実施の形態では、ＣＰＵ等の制御手段を用いてＢＥＲ検出回路１６の出力を監視し、ＢＥＲ値が最も小さくなる（最も誤りが少なくなる）ように、電力レベル制限回路１３と電力レベル増大回路１４の各設定値を適切にフィードバック制御する。この制御により、本実施の形態では、受信環境が変化する環境においてもその受信環境の変化に適応的に対応できるので、良好な受信性能を維持することができる。なお、フィードバック制御の方法としては、多数の方法が知られており、本実施の形態では、その中から任意の方法を用いることができる。
また、本実施の形態では、ビタビ復号処理後のビットエラーレート値を検出するＢＥＲ検出回路を設け、その検出結果をもとに、電力レベル制限回路と電力レベル増大回路の制御を行う機能を設けたので、受信する実際の伝送環境（ＢＥＲ値による受信性能）を検出でき、その検出結果をもとに上記両処理回路の制御を行うことで、受信環境が変化する場合でも柔軟に最適な受信性能を得ることができる。
【手続補正１４】
【補正対象書類名】明細書
【補正対象項目名】００９４
【補正方法】変更
【補正の内容】
【００９４】
具体的には、ＢＥＲ検出回路１６において、検出したＢＥＲ値をＣＰＵからリードできるようなレジスタを設け、ＣＰＵがそれを監視することで行う方法等が考えられる。
このように本実施の形態では、システムの伝送信号パラメータと受信環境の両方を切り替える動作を行うことにより、受信環境が変化する環境においても、ビタビ復号後のＢＥＲ値を改善でき、良好な受信性能を維持することができる。
また、本実施の形態では、伝送方式検出回路とＢＥＲ検出回路の両方を設け、通常は伝送方式検出回路で検出されたシステムの伝送信号パラメータ等の内容により、電力レベル制限回路と電力レベル増大回路の選択的制御を行い、ＢＥＲ検出回路の検出内容如何によっては、電力レベル制限回路と電力レベル増大回路の制御内容に修正を加える機能を設けたので、受信する実際の伝送信号パラメータと、受信環境を同時に検出でき、伝送信号方式が切り替わり、なおかつ受信環境が時間的に変化しても柔軟に最適な受信性能を得ることができる。
【手続補正１５】
【補正対象書類名】明細書
【補正対象項目名】０１１３
【補正方法】変更
【補正の内容】
【０１１３】
このように本実施の形態では、電力レベル情報を発生させるために非線型変換特性を持つテーブルを採用したことにより、復調されたパイロット信号の電力が非常に小さい時、すなわち復調信号の信頼度が低い時には、一次曲線を使ったリニア変換テーブルを用いた電力レベル情報に比べて発生する電力レベル情報を“０”に偏らせることができ、それにより、信頼度の低い復調信号のメトリック値については‘０’と‘１’の中間値とすることができるので、信頼度が低い復調信号が復号されることによるビタビ復号への悪影響を改善することができる。また、上記した各実施の形態と同様に、正規化レベル未満であっても信頼度を有する復調信号については有効活用できるので、ビタビデコーダの誤り訂正能力を改善することができる。また、本実施の形態の非線形変換特性は、実施の形態４の各種制御と組み合わせて用いることができることから、ビタビ復号におけるＢＥＲ等の受信性能をさらに向上させることができる。例えば、本実施形態では、システムの伝送信号パラメータと受信環境の双方が変動する環境下においても、ビタビ復号後の受信性能を向上させることが可能になる。
また、本実施の形態では、非線型特性を持つ電力レベル情報を発生させるための電力レベル発生用非線形変換テーブルを設け、変換後の出力に対して、電力レベル制限回路と電力レベル増大回路の制御を行い、非線形化された電力レベル情報によって重み付けをした多値メトリックを使用する機能を設けたので、復調パイロット信号が小さい時、すなわち復調信号の信頼度が低いデータの時に、一次曲線を使ったリニア変換テーブルを用いた線形的電力レベル情報に比べて、発生する電力レベル情報を０に偏らせ、信頼度の低い復調信号のメトリック値を‘０’と‘１’の中間値とすることができ、信頼度が低いと思われる復調信号によるビタビ復号への影響が最小限となり、信頼度のある復調信号をより有効に使用することで、ビタビデコーダの誤り訂正能力をさらに改善できる。
【手続補正１６】
【補正対象書類名】明細書
【補正対象項目名】０１２７
【補正方法】変更
【補正の内容】
【０１２７】
このように本実施形態では、複数テーブル選択回路１９で複数の変換特性を持つ電力レベル発生用非線型複数変換テーブル１８から最適な変換特性を選択する制御と、実施の形態４において行われた各種制御を同時に行うことができるので、ビタビデコーダにおける誤り訂正能力を上記した各実施の形態よりもさらに改善させることができる。
また、本実施の形態では、受信信号を復調した時の電力レベル情報を発生する為の変換特性を複数持つ電力レベル発生用複数非線形変換テーブルを備え、伝送方式検出回路とＢＥＲ検出回路の結果から、電力レベル制限回路と電力レベル増大回路の制御と同時に、受信したデータの誤り訂正能力が高くなるように、複数種のテーブルを切り替える制御機能を設けたので、伝送方式検出回路の出力によって判断可能な、システムの伝送信号方式や、ＢＥＲ検出回路の出力によって判断可能な、受信環境の両方が切り替わる様々な環境下において、最適な非線形変換テーブルを用いることができ、電力制限及び電力倍率の制御と、最適な特性を持つ電力レベル発生用非線型複数変換テーブルの制御とを同時に行うことで、ビタビデコーダの誤り訂正能力をさらに改善させることができる。
【手続補正１７】
【補正対象書類名】明細書
【補正対象項目名】０１３５
【補正方法】変更
【補正の内容】
【０１３５】
従って、本実施の形態では、実施の形態６における電力変換特性が書き込まれた複数の固定テーブルをサポートする構成から、変換特性が自由にリード／ライトできる汎用メモリを使ったＲＡＭに変更されているので、任意のタイミングで受信環境に最適な変換特性を有する電力レベル情報を、柔軟に使用してメトリック値に重み付けすることができる。その結果、ビタビ復号に用いられるメトリック値が、受信環境に応じてさらに細かく制御された電力レベル情報によって最適に重み付けられるため、ビタビデコーダの誤り訂正能力をさらに改善できる。
また、本実施の形態では、受信信号を復調した時の電力レベル情報を発生する為の変換特性を持つテーブルを、汎用メモリ等によって構成し、ＣＰＵ等の外部からメモリ（テーブル）内容を書き換え、変換特性を任意に変更する機能を設け、電力変換特性が書き込まれた複数の固定テーブルをサポートする構成から、変換特性が自由にリード／ライトできる汎用メモリを使ったテーブルに変更しているので、任意のタイミングで受信環境に最適な任意の変換特性を持たせた電力レベル情報を、選択ではなくて柔軟に発生でき、受信環境に応じてビタビデコーダの誤り訂正能力をさらに柔軟に改善できる。また、複数のテーブルを１つの汎用メモリに置き換えて実施できることから、軟判定ビタビ復号装置の回路規模を小さくすることが可能となり、復号装置の回路コストを低減させることができる。
【手続補正１８】
【補正対象書類名】明細書
【補正対象項目名】０１４８
【補正方法】変更
【補正の内容】
【０１４８】
このように本実施の形態では、ＣＰＵ等の外部の制御手段を用いてＲＡＭを制御し、電力レベル情報を発生させると共に、電力レベルの制限値を変更する機能および電力レベル増大させる電力倍率を変更する機能を持たせることができるたので、上記した他の実施の形態では必要であった電力レベル制限回路と電力レベル増大回路を削減することができ、回路規模を縮小させることができる。
また、本実施の形態では、電力レベル情報を発生する為の変換特性を持つテーブルを、ＲＡＭ等の汎用メモリで構成する方式にし、ＲＡＭに非線形変換特性を与える機能だけでなく、電力倍率や電力制限値を変更する機能も持たせたので、電力レベル制限回路と、電力レベル増大回路の機能をＲＡＭに代用させることができ、軟判定ビタビ復号装置の回路規模をさらに小さくすることが可能となり、復号装置の回路コストを低減させることができる。
【手続補正１９】
【補正対象書類名】明細書
【補正対象項目名】０１４９
【補正方法】変更
【補正の内容】
【０１４９】
【発明の効果】
この発明の復号装置によれば、様々な伝送信号パラメータの変化や、受信環境によって変化する入力電力レベル情報に応じて、メトリック値の中間値情報量を調整することが可能となる。よって、ビタビ復号時に最も誤り率を小さくする電力レベル情報に変換できる。従って、受信性能を向上させることができる。
【手続補正２０】
【補正対象書類名】明細書
【補正対象項目名】０１５０
【補正方法】削除
【補正の内容】
【手続補正２１】
【補正対象書類名】明細書
【補正対象項目名】０１５１
【補正方法】削除
【補正の内容】
【手続補正２２】
【補正対象書類名】明細書
【補正対象項目名】０１５２
【補正方法】削除
【補正の内容】
【手続補正２３】
【補正対象書類名】明細書
【補正対象項目名】０１５３
【補正方法】削除
【補正の内容】
【手続補正２４】
【補正対象書類名】明細書
【補正対象項目名】０１５４
【補正方法】削除
【補正の内容】
【手続補正２５】
【補正対象書類名】明細書
【補正対象項目名】０１５５
【補正方法】削除
【補正の内容】
【手続補正２６】
【補正対象書類名】明細書
【補正対象項目名】０１５６
【補正方法】削除
【補正の内容】